(57)【特許請求の範囲】
【請求項１】
時刻非同期を判定するための方法であって、
1つまたは複数の第1のセルを判定するステップであって、第1のセルの各々は、基地局によって送信されるネットワーク測定データに従って、ネットワーク全体の基地局のすべてのセルの中から、異常な干渉および雑音(IN)情報または電力情報を伴うセルであり、前記ネットワーク測定データがIN情報または電力情報を含む、ステップと、
前記IN情報または電力情報の様々なタイプの異常に従って1つまたは複数の前記第1のセルを分類することによって、前記ネットワーク全体の前記基地局の1つまたは複数が時刻非同期の状態にあることを判定するステップとを含み、
前記異常なIN情報または電力情報は、
アップリンク前側部分における異常なIN情報または電力情報、または、アップリンク後側部分における異常なIN情報または電力情報と、
アップリンク後側部分における異常なIN情報または電力情報に従う判定結果とは異なる、アップリンク前側部分における異常なIN情報または電力情報に従う判定結果と
を含む、方法。
【請求項２】
1つまたは複数の第2のセルを判定するステップであって、第2のセルの各々は、前記基地局によって送信される前記ネットワーク測定データに従って、第1のセルの基地局に隣接する前記基地局の周波数内隣接セルの中から、異常なIN情報または電力情報を伴うセルである、ステップと、
前記IN情報または電力情報の様々なタイプの異常に従って1つまたは複数の第1のセルおよび1つまたは複数の第2のセルを分類することによって、前記ネットワーク全体の前記基地局の1つまたは複数が時刻非同期の状態にあることを判定するステップとをさらに含む、請求項1に記載の方法。
【請求項３】
前記アップリンク前側部分における異常なIN情報または電力情報は、
セルのアップリンクフレーム中の前側symbolの前記IN情報または電力情報と、前記アップリンクフレーム中の後側symbolの前記IN情報または電力情報との差が閾値を超え、または、
セルのアップリンクパイロットタイムスロットUpPTSの前記IN情報または電力情報と、アップリンクフレーム中の後側symbolの前記IN情報または電力情報との差が閾値を超え、または、
セルのアップリンクダウンリンク同期ガード期間GPの前記IN情報または電力情報と、アップリンクフレーム中の後側symbolの前記IN情報または電力情報との差が閾値を超える、ことを含む、請求項1に記載の方法。
【請求項４】
前記アップリンク後側部分における異常なIN情報または電力情報は、
セルのアップリンクフレーム中の後側symbolの前記IN情報または電力情報と、前記アップリンクフレーム中の前側symbolの前記IN情報または電力情報との差が閾値を超え、または、
セルのアップリンクフレーム中の後側symbolの前記IN情報または電力情報と、アップリンクパイロットタイムスロットUpPTSの前記IN情報または電力情報との差が閾値を超え、または、
セルのアップリンクフレーム中の後側symbolの前記IN情報または電力情報と、アップリンクダウンリンク同期ガード期間GPの前記IN情報または電力情報との差が閾値を超える、ことを含む、請求項1に記載の方法。
【請求項５】
前記IN情報または電力情報の様々なタイプの異常に従って1つまたは複数の前記第1のセルを分類することによって、前記ネットワーク全体の前記基地局の1つまたは複数が時刻非同期の状態にあることを判定する前記ステップが、
前記アップリンク前側部分における異常なIN情報または電力情報を伴う少なくとも１つの第1のセルが存在する場合に、前記ネットワーク全体の基地局の1つまたは複数に時刻非同期が疑われることと、疑われている時刻非同期の干渉により前記少なくとも1つの第1のセルが影響を受けていることとを判定するステップ、または、
前記アップリンク後側部分における異常なIN情報または電力情報を伴う少なくとも１つの第1のセルが存在する場合に、前記ネットワーク全体の前記基地局の1つまたは複数が時刻非同期の状態にあることと、前記少なくとも1つの第1のセルが時刻非同期の干渉の影響を受けていることとを判定するステップを含む、請求項1または2に記載の方法。
【請求項６】
前記IN情報または電力情報の様々なタイプの異常に従って1つまたは複数の第1のセルおよび1つまたは複数の第2のセルを分類することによって、前記ネットワーク全体の前記基地局の1つまたは複数が時刻非同期の状態にあることを判定する前記ステップが、
前記アップリンク前側部分における異常なIN情報または電力情報を伴う少なくとも１つの第1のセルが存在する場合に、前記ネットワーク全体の基地局の1つまたは複数が時刻非同期にあることと、時刻非同期の干渉により前記少なくとも1つの第1のセルが影響を受けていることとを判定するステップの後で、アップリンク前側部分における異常なIN情報または電力情報を伴う少なくとも１つの第1のセルが存在し、アップリンク後側部分における異常なIN情報または電力情報を伴う1つまたは複数の第2のセルのうちの2つよりも多くの第2のセルが存在し、前記2つよりも多くの第2のセルが前記少なくとも1つの第1のセルの基地局に隣接する異なる基地局に属す場合に、前記少なくとも1つの第1のセルの前記基地局が時刻非同期の状態にあることと、前記少なくとも1つの第1のセルが時刻非同期セルであることとを判定するステップをさらに含み、または、
前記アップリンク後側部分における異常なIN情報または電力情報を伴う少なくとも１つの第1のセルが存在する場合に、前記ネットワーク全体の基地局の1つまたは複数が時刻非同期にあることと、時刻非同期の干渉により前記少なくとも1つの第1のセルが影響を受けていることとを判定するステップの後で、アップリンク後側部分における異常なIN情報または電力情報を伴う少なくとも１つの第1のセルが存在し、アップリンク前側部分における異常なIN情報または電力情報を伴う2つよりも多くの第2のセルが存在し、前記2つよりも多くの第2のセルが前記少なくとも1つの第1のセルの基地局に隣接する異なる基地局に属す場合に、前記少なくとも1つの第1のセルの前記基地局が時刻非同期の状態にあることと、前記第1のセルが時刻非同期セルであることとを判定するステップをさらに含む、請求項5に記載の方法。
【請求項７】
前記第1のセルが時刻非同期セルであると判定する前記ステップの後で、
前記少なくとも1つの第1のセルが時刻非同期セルであると判定される場合に、前記少なくとも1つの第1のセルの基地局に時刻元再設定命令または警告情報を送信するステップをさらに含む、請求項6に記載の方法。
【請求項８】
1つまたは複数の第1のセルを判定するステップの前に、
前記基地局によって送信される警告情報を受信するステップをさらに含み、前記警告情報が、前記ネットワーク全体の前記基地局の1つまたは複数において前記基地局が時刻非同期を検出したことを示すために使用される、請求項1または2に記載の方法。
【請求項９】
時刻非同期セルを判定するための装置であって、
1つまたは複数の第1のセルを判定する第1検出ユニットであって、第1のセルの各々は、基地局によって送信されるネットワーク測定データに従って、ネットワーク全体の基地局のすべてのセルの中から、異常な干渉および雑音(IN)情報または電力情報を伴うセルであり、前記ネットワーク測定データがIN情報または電力情報を含む、第1の検出ユニットと、
前記IN情報または電力情報の様々なタイプの異常に従って、前記第1の検出ユニットによって検出された1つまたは複数の前記第1のセルを分類することによって、前記ネットワーク全体の前記基地局の1つまたは複数が時刻非同期の状態にあることを判定するように構成される、第1の判定ユニットとを含み、
前記異常なIN情報または電力情報は、
アップリンク前側部分における異常なIN情報または電力情報、または、アップリンク後側部分における異常なIN情報または電力情報と、
アップリンク後側部分における異常なIN情報または電力情報に従う判定結果とは異なる、アップリンク前側部分における異常なIN情報または電力情報に従う判定結果と
を含む、装置。
【請求項１０】
第2の検出ユニットおよび第2の判定ユニットをさらに含み、
前記第2の検出ユニットが、1つまたは複数の第2のセルを判定するように構成され、第2のセルの各々は、前記基地局によって送信される前記ネットワーク測定データに従って、第1のセルの基地局に隣接する前記基地局の周波数内隣接セルの中から、異常なIN情報または電力情報を伴うセルであり、
前記第2の判定ユニットが、前記IN情報または電力情報の様々なタイプの異常に従って、前記第1の検出ユニットによって検出された1つまたは複数の前記第1のセルおよび前記第2の検出ユニットによって検出された1つまたは複数の前記第2のセルを分類することによって、時刻非同期セルを判定するように構成される、請求項9に記載の装置。
【請求項１１】
前記アップリンク前側部分における異常なIN情報または電力情報は、
セルのアップリンクフレーム中の前側symbolの前記IN情報または電力情報と、前記アップリンクフレーム中の後側symbolの前記IN情報または電力情報との差が閾値を超え、または、
セルのアップリンクパイロットタイムスロットUpPTSの前記IN情報または電力情報と、アップリンクフレーム中の後側symbolの前記IN情報または電力情報との差が閾値を超え、または、
セルのアップリンクダウンリンク同期ガード期間GPの前記IN情報または電力情報と、アップリンクフレーム中の後側symbolの前記IN情報または電力情報との差が閾値を超える、ことを含む、請求項9に記載の装置。
【請求項１２】
前記アップリンク後側部分における異常なIN情報または電力情報は、
セルのアップリンクフレーム中の後側symbolの前記IN情報または電力情報と、前記アップリンクフレーム中の前側symbolの前記IN情報または電力情報との差が閾値を超え、または、
セルのアップリンクフレーム中の後側symbolの前記IN情報または電力情報と、アップリンクパイロットタイムスロットUpPTSの前記IN情報または電力情報との差が閾値を超え、または、
セルのアップリンクフレーム中の後側symbolの前記IN情報または電力情報と、アップリンクダウンリンク同期ガード期間GPの前記IN情報または電力情報との差が閾値を超える、ことを含む、請求項9に記載の装置。
【請求項１３】
前記第1の判定ユニットが特に、
前記アップリンク前側部分における異常なIN情報または電力情報を伴う少なくとも１つの第1のセルが存在する場合に、前記ネットワーク全体の基地局の1つまたは複数に時刻非同期が疑われることと、疑われている時刻非同期の干渉により前記少なくとも1つの第1のセルが影響を受けていることとを判定するように、または、
前記アップリンク後側部分における異常なIN情報または電力情報を伴う少なくとも１つの第1のセルが存在する場合に、前記ネットワーク全体の前記基地局の1つまたは複数が時刻非同期の状態にあることと、前記少なくとも1つの第1のセルが時刻非同期の干渉の影響を受けていることとを判定するように構成される、請求項9に記載の装置。
【請求項１４】
第2の判定ユニットが特に、
前記アップリンク前側部分における異常なIN情報または電力情報を伴う少なくとも１つの第1のセルが存在し、前記アップリンク後側部分における異常なIN情報または電力情報を伴う1つまたは複数の第2のセルのうちの2つよりも多くの第2のセルが存在し、前記2つよりも多くの第2のセルが前記少なくとも1つの第1のセルの前記基地局に隣接する異なる基地局に属す場合に、前記少なくとも1つの第1のセルが時刻非同期セルであると判定し、
前記アップリンク後側部分における異常なIN情報または電力情報を伴う少なくとも１つの第1のセルが存在し、前記アップリンク前側部分における異常なIN情報または電力情報を伴う2つよりも多くの第2のセルが存在し、前記2つよりも多くの第2のセルが前記少なくとも1つの第1のセルの前記基地局に隣接する異なる基地局に属す場合に、前記少なくとも1つの第1のセルが時刻非同期セルであると判定するように構成される、請求項13に記載の装置。
【請求項１５】
送信ユニットをさらに含み、
前記送信ユニットが、前記少なくとも1つの第1のセルが時刻非同期セルであると前記第2の判定ユニットが判定する場合に、前記少なくとも1つの第1のセルの前記基地局に時刻元再設定命令または警告情報を送信するように構成される、請求項14に記載の装置。
【請求項１６】
受信ユニットをさらに含み、
前記受信ユニットが、前記基地局によって送信される警告情報を受信するように構成され、前記警告情報が、前記ネットワーク全体の前記基地局の1つまたは複数において前記基地局が時刻非同期を検出したことを示すために使用される、請求項9または10に記載の装置。
【請求項１７】
時刻非同期を判定するための方法であって、
ネットワーク測定データを取得するステップであって、前記ネットワーク測定データが干渉および雑音IN情報または電力情報を含む、ステップと、
前記ネットワーク測定データに従って、現在の基地局のセルの中から、異常なIN情報または電力情報を伴う1つまたは複数のセルを判定するステップと、
前記IN情報または電力情報の様々なタイプの異常に従って、前記現在の基地局のセルの中から検出された異常なIN情報または電力情報を伴う1つまたは複数の前記セルを分類することによって、ネットワーク全体の前記基地局の1つまたは複数が時刻非同期の状態にあることを判定するステップ、または、
ネットワーク管理ノードが前記IN情報または電力情報の様々なタイプの異常に従って分類することによって時刻非同期セルを判定するステップを実行するように、ネットワーク測定データが取得された後で前記ネットワーク測定データをネットワーク管理ノードに送信するステップとを含み、
前記異常なIN情報または電力情報は、
アップリンク前側部分における異常なIN情報または電力情報、または、アップリンク後側部分における異常なIN情報または電力情報と、
アップリンク後側部分における異常なIN情報または電力情報に従う判定結果とは異なる、アップリンク前側部分における異常なIN情報または電力情報に従う判定結果と
を含む、方法。
【請求項１８】
前記IN情報または電力情報の様々なタイプの異常に従って、前記現在の基地局のセルの中から検出された異常なIN情報または電力情報を伴う1つまたは複数の前記セルを分類することによって、前記ネットワーク全体の前記基地局の1つまたは複数が時刻非同期の状態にあることを判定する前記ステップの後で、
警告情報をネットワーク管理ノードに送信するステップをさらに含み、前記警告情報が、前記ネットワーク全体の前記基地局の1つまたは複数において前記基地局が時刻非同期を検出したことを示すために使用される、請求項17に記載の方法。
【請求項１９】
現在の基地局のセルの中から異常なIN情報または電力情報を伴う1つまたは複数のセルを検出する前記ステップが、
前記現在の基地局のセルの中から、アップリンク前側部分において異常なIN情報または電力情報を伴う1つまたは複数のセルを判定し、前記ネットワーク全体の前記基地局の1つまたは複数に時刻非同期が疑われることを判定するために、前記IN情報または電力情報の様々なタイプの異常に従って、前記検出された1つまたは複数のセルを分類するステップ、または、
前記現在の基地局のセルの中から、アップリンク後側部分において異常なIN情報または電力情報と伴う1つまたは複数のセルを判定し、前記ネットワーク全体の前記基地局の1つまたは複数が時刻非同期の状態にあることを判定するために、前記IN情報または電力情報の様々なタイプの異常に従って、前記1つまたは複数の検出されたセルを分類するステップを含む、請求項17または18に記載の方法。
【請求項２０】
アップリンク前側部分における異常なIN情報または電力情報が、
セルのアップリンクフレーム中の前側symbolの前記IN情報または電力情報と、前記アップリンクフレーム中の後側symbolの前記IN情報または電力情報との差が閾値を超え、または、
セルのアップリンクパイロットタイムスロットUpPTSの前記IN情報または電力情報と、アップリンクフレーム中の後側symbolの前記IN情報または電力情報との差が閾値を超え、または、
セルのアップリンクダウンリンク同期ガード期間GPの前記IN情報または電力情報と、アップリンクフレーム中の後側symbolの前記IN情報または電力情報との差が閾値を超える、ことを含む、請求項19に記載の方法。
【請求項２１】
アップリンク後側部分における異常なIN情報または電力情報が、
セルのアップリンクフレーム中の後側symbolの前記IN情報または電力情報と、前記アップリンクフレーム中の前側symbolの前記IN情報または電力情報との差が閾値を超え、または、
セルのアップリンクフレーム中の後側symbolの前記IN情報または電力情報と、アップリンクパイロットタイムスロットUpPTSの前記IN情報または電力情報との差が閾値を超え、または、
セルのアップリンクフレーム中の後側symbolの前記IN情報または電力情報と、アップリンクダウンリンク同期ガード期間GPの前記IN情報または電力情報との差が閾値を超える、ことを含む、請求項19に記載の方法。
【請求項２２】
時刻非同期セルを判定するために、前記ネットワーク管理ノードが前記IN情報または電力情報の様々なタイプの異常に従って前記分類するステップを実行するように、ネットワーク測定データをネットワーク管理ノードに送信する前記ステップの後で、
前記基地局の中の第1のセルが時刻非同期セルであると前記ネットワーク管理ノードが判定すると、前記基地局によって、前記ネットワーク管理ノードから時刻元再設定命令または警告情報を受信するステップをさらに含む、請求項17から21のいずれか1項に記載の方法。
【請求項２３】
時刻非同期を判定するための基地局であって、
ネットワーク測定データを取得するように構成される取得ユニットであって、前記ネットワーク測定データが干渉および雑音IN情報または電力情報を含む、取得ユニットと、
前記取得ユニットによって取得された前記ネットワーク測定データに従って、現在の基地局のセルの中から、異常なIN情報または電力情報を伴う1つまたは複数のセルを判定するように構成される、検出ユニットと、
前記IN情報または電力情報の様々なタイプの異常に従って、前記現在の基地局のセルの中から、異常なIN情報または電力情報を有するものとして前記検出ユニットによって検出された1つまたは複数の前記セルを分類することによって、ネットワーク全体の前記基地局の1つまたは複数が時刻非同期の状態にあることを判定するように構成される、判定ユニットと、
ネットワーク管理ノードが前記IN情報または電力情報の様々なタイプの異常に従って分類することによって、時刻非同期セルを判定するステップを実行するように、前記取得ユニットがネットワーク処理データを取得した後でネットワーク測定データをネットワーク管理ノードに送信するように構成される、送信ユニットとを含み、
前記異常なIN情報または電力情報は、
アップリンク前側部分における異常なIN情報または電力情報、または、アップリンク後側部分における異常なIN情報または電力情報と、
アップリンク後側部分における異常なIN情報または電力情報に従う判定結果とは異なる、アップリンク前側部分における異常なIN情報または電力情報に従う判定結果と
を含む、基地局。
【請求項２４】
前記判定ユニットが、前記IN情報または電力情報の様々なタイプの異常に従って、前記現在の基地局のセルの中から異常なIN情報または電力情報を有するものとして前記検出ユニットによって検出された1つまたは複数の前記セルを分類することによって、前記ネットワーク全体の前記基地局の1つまたは複数が時刻非同期の状態にあることを判定した後で、前記送信ユニットがさらに、警告情報を前記ネットワーク管理ノードに送信するように構成され、前記警告情報が、前記ネットワーク全体の前記基地局の1つまたは複数において前記基地局が時刻非同期を検出したことを示すために使用される、請求項23に記載の基地局。
【請求項２５】
前記検出ユニットが特に、
前記現在の基地局のセルの中から、アップリンク前側部分において異常なIN情報または電力情報を伴う1つまたは複数のセルを判定し、前記IN情報または電力情報の様々なタイプの異常に従って、前記検出された1つまたは複数のセルを分類することによって、前記ネットワーク全体の前記基地局の1つまたは複数に時刻非同期が疑われることを判定するように、または、
前記現在の基地局のセルの中から、アップリンク後側部分において異常なIN情報または電力情報を伴う1つまたは複数のセルを判定し、前記IN情報または電力情報の様々なタイプの異常に従って、前記検出された1つまたは複数のセルを分類することによって、前記ネットワーク全体の前記基地局の1つまたは複数が時刻非同期の状態にあることを判定するように構成される、請求項23または24に記載の基地局。
【請求項２６】
アップリンク前側部分における異常なIN情報または電力情報が、
セルのアップリンクフレーム中の前側symbolの前記IN情報または電力情報と、前記アップリンクフレーム中の後側symbolの前記IN情報または電力情報との差が閾値を超え、または、
セルのアップリンクパイロットタイムスロットUpPTSの前記IN情報または電力情報と、アップリンクフレーム中の後側symbolの前記IN情報または電力情報との差が閾値を超え、または、
セルのアップリンクダウンリンク同期ガード期間GPの前記IN情報または電力情報と、アップリンクフレーム中の後側symbolの前記IN情報または電力情報との差が閾値を超える、ことを含む、請求項25に記載の基地局。
【請求項２７】
アップリンク後側部分における異常なIN情報または電力情報が、
セルのアップリンクフレーム中の後側symbolの前記IN情報または電力情報と、前記アップリンクフレーム中の前側symbolの前記IN情報または電力情報との差が閾値を超え、または、
セルのアップリンクフレーム中の後側symbolの前記IN情報または電力情報と、アップリンクパイロットタイムスロットUpPTSの前記IN情報または電力情報との差が閾値を超え、または、
セルのアップリンクフレーム中の後側symbolの前記IN情報または電力情報と、アップリンクダウンリンク同期ガード期間GPの前記IN情報または電力情報との差が閾値を超える、ことを含む、請求項25に記載の基地局。
【請求項２８】
前記基地局の中の第1のセルが時刻非同期セルであると前記ネットワーク管理ノードが判定すると、受信ユニットが、前記ネットワーク管理ノードから時刻元再設定命令または警告情報を受信するように構成される、請求項23に記載の基地局。
【請求項２９】
プログラムを記憶したコンピュータ可読記憶媒体であって、前記プログラムがコンピュータに請求項1から8のいずれか一項に記載の方法を実行させる、コンピュータ可読記憶媒体。
【発明の詳細な説明】
【技術分野】
【０００１】
本発明はワイヤレス通信の分野に関し、具体的には、時刻非同期(clock desynchronization)を判定するための方法および装置に関する。
【背景技術】
【０００２】
時刻参照元は、TDD(Time Division Duplexの頭字語)システムの不可欠な機能モジュールであり、ネットワーク全体のすべての基地局のセルを同期し、TDDシステムの非同期によって引き起こされる、アップリンク/ダウンリンクにまたがるタイムスロットの干渉を避けるために使用される。時刻参照元の喪失は、TDDシステムの時刻非同期と、現在のセルと現在のセルの基地局に隣接する基地局の周波数内セルとの強い干渉とを引き起こし、これにより、端末はネットワークにアクセスできなくなり、または、呼の切断、ハンドオーバーの失敗、サービスの実施の失敗などのような、サービスの劣化につながる。ワイヤレス通信ネットワークの品質の劣化は、ネットワークのユーザ体験に直接影響する。隣接する基地局の周波数内セルは、簡易的に周波数内隣接セルと呼ばれ得る。
【０００３】
一般に、時刻参照元が失われた後でも、基地局の時刻は、ある期間は非同期またはセル間の干渉を引き起こすことがないままであるが、徐々にずれて最終的には時刻非同期に至る。ある基地局が時刻非同期の状態にある場合、その基地局のすべてのセルが時刻非同期セルである。一般的な時刻参照元には、GPS(Global Positioning Systemの頭字語)システム、北斗システムなどがある。
【０００４】
一般に、基地局では、時刻参照元が失われると、対応する警告刺激が提供され、対応する再同期または再設定動作が実行される。基地局の側では、時刻参照元が失われてからある期間の後に、基地局が自動的にキャリアセクタを遮断し、基地局が他の周波数内隣接セルへの干渉を引き起こすのを防ぐ。
【０００５】
しかしながら、基地局が時刻非同期の状態にあるかどうかを示すために時刻参照元の喪失を使用することは、タイムリーではなく、または十分に正確ではなく、これは、基地局により行われる応答の遅延につながり、これによりネットワークのユーザ体験に直接影響する。
【発明の概要】
【課題を解決するための手段】
【０００６】
本発明の実施形態は、時刻非同期を判定して時刻非同期を時間内に正確に判定するための、方法および装置を提供する。
【０００７】
一態様では、時刻非同期を判定するための方法が提供され、この方法は、基地局によって送信されるネットワーク測定データに従って、ネットワーク全体の基地局のすべてのセルの中から、異常なIN情報または電力情報を伴うセルを検出し、そのセルを第1のセルとして構成するステップであって、ネットワーク測定データが干渉および雑音IN情報または電力情報を含む、ステップと、ネットワーク全体の基地局の1つまたは複数が時刻非同期の状態にあることを判定するために、IN情報または電力情報の様々なタイプの異常に従って第1のセルを分類するステップとを含む。
【０００８】
別の態様では、第1の検出ユニットおよび第1の判定ユニットを含む、時刻非同期を判定するための装置が提供される。第1の検出ユニットは、基地局によって送信されるネットワーク測定データに従って、ネットワーク全体の基地局のすべてのセルの中から、異常なIN情報または電力情報を伴うセルを検出し、そのセルを第1のセルとして構成するように構成され、このときネットワーク測定データが干渉および雑音IN情報または電力情報を含み、第1の判定ユニットは、ネットワーク全体の基地局の1つまたは複数が時刻非同期の状態にあることを判定するために、IN情報または電力情報の様々なタイプの異常に従って、第1の検出ユニットによって検出される第1のセルを分類するように構成される。
【０００９】
別の態様では、時刻非同期を判定するための方法が提供され、この方法は、ネットワーク測定データを取得するステップであって、ネットワーク測定データが干渉および雑音IN情報または電力情報を含む、ステップと、ネットワーク測定データに従って、現在の基地局のセルの中から、異常なIN情報または電力情報を伴うセルを検出するステップと、ネットワーク全体の基地局の1つまたは複数が時刻非同期の状態にあることを判定するために、IN情報または電力情報の様々なタイプの異常に従って、現在の基地局のセルの中から検出された異常なIN情報または電力情報を伴うセルを分類するステップ、または、時刻非同期セルを判定するために、ネットワーク管理ノードがIN情報または電力情報の様々なタイプの異常に従って分類するステップを実行するように、ネットワーク測定データが取得された後でネットワーク測定データをネットワーク管理ノードに送信するステップとを含む。
【００１０】
別の態様では、取得ユニット、検出ユニット、判定ユニット、および送信ユニットを含む、時刻非同期を判定するための基地局が提供される。取得ユニットは、ネットワーク測定データを取得するように構成され、ネットワーク測定データは、干渉および雑音IN情報または電力情報を含む。検出ユニットは、取得ユニットによって取得されたネットワーク測定データに従って、現在の基地局のセルの中から、異常なIN情報または電力情報を伴うセルを検出するように構成され、判定ユニットは、ネットワーク全体の基地局の1つまたは複数が時刻非同期の状態にあることを判定するために、IN情報または電力情報の様々なタイプの異常に従って、現在の基地局のセルの中から異常なIN情報または電力情報を有するものとして検出ユニットによって検出されたセルを分類するように構成され、送信ユニットは、時刻非同期セルを判定するために、ネットワーク管理ノードがIN情報または電力情報の様々なタイプの異常に従って分類するステップを実行するように、取得ユニットがネットワーク処理データを取得した後で、ネットワーク測定データをネットワーク管理ノードに送信するように構成される。
【００１１】
上記の技術的な解決法によって、異常なIN情報(または電力情報)を伴うセルがすべてのセルの中から検出され、基地局の時刻非同期を判定するために、IN情報(または電力情報)の様々なタイプの異常に従って分類され、関連するノードは、時刻非同期がネットワーク全体の通信品質に影響を与えるのを防ぐように、タイムリーに動作を行うことができる。
【００１２】
本発明の実施形態の技術的な解決法をより明確に説明するために、以下では、本発明の実施形態を説明するのに必要とされる添付の図面を簡単に紹介する。明らかに、以下の説明における添付の図面は、本発明のいくつかの実施形態を単に示すものであり、当業者はそれでも、創造的な努力を伴うことなく、添付の図面から他の図面を導き出すことができる。
【図面の簡単な説明】
【００１３】
【図１】本発明のある実施形態による、時刻非同期を判定するための方法の概略的なフローチャートである。
【図２】TDD LTE無線フレームの概略的な構造図である。
【図３】本発明のある実施形態による、時刻非同期を判定するための異常なIN情報または電力情報の概略図である。
【図４】本発明の別の実施形態による、時刻非同期を判定するための異常なIN情報または電力情報の概略図である。
【図５】本発明の別の実施形態による、時刻非同期を判定するための方法の概略的なフローチャートである。
【図６Ａ】本発明のある実施形態による、時刻非同期を判定するための装置の概略的なブロック図である。
【図６Ｂ】本発明のある実施形態による、時刻非同期を判定するための装置の概略的なブロック図である。
【図７】本発明のある実施形態による、時刻非同期を判定するための別の方法の概略的なフローチャートである。
【図８】本発明の別の実施形態による、時刻非同期を判定するための方法の概略的なフローチャートである。
【図９Ａ】本発明のある実施形態による、時刻非同期を判定するための基地局の概略的なブロック図である。
【図９Ｂ】本発明のある実施形態による、時刻非同期を判定するための基地局の概略的なブロック図である。
【図１０】本発明のある実施形態による、ワイヤレス通信システムの概略的なブロック図である。
【発明を実施するための形態】
【００１４】
以下では、本発明の実施形態の添付の図面を参照して、本発明の実施形態の技術的な解決法を明確かつ完全に説明する。明らかに、説明される実施形態は本発明の実施形態のすべてではなく一部にすぎない。創造的な努力を伴わずに本発明の実施形態に基づいて当業者によって得られるすべての他の実施形態が、本発明の保護範囲に入るべきである。
【００１５】
本発明の技術的な解決法は、様々なTDD通信システム、たとえば、時分割同期符号分割多元接続(TD-SCDMA、Time Division Synchronous Code Division Multiple Access Wireless)およびTDDロングタームエボリューション(LTE、Long Term Evolution)などに適用可能である。
【００１６】
ユーザ機器(UE、User Equipment)は、モバイル端末(Mobile Terminal)、モバイルユーザ機器などとも呼ばれることがあり、無線アクセスネットワーク(たとえば、RAN、Radio Access Network)を通じて1つまたは複数のコアネットワークと通信することが可能である。ユーザ機器は、携帯電話(または「セルラー」電話と呼ばれる)などのモバイル端末、またはモバイル端末を伴うコンピュータ、たとえば、持ち運び可能な、ポケットサイズの、携帯用の、コンピュータ内蔵の、または車両に搭載されたモバイルデバイスなどであり得る。これらは、無線アクセスネットワークで音声および/またはデータを交換する。
【００１７】
基地局は、TD-SCDMAにおけるノードB(NodeB)、TDD LTEにおける進化型ノードB(eNBまたはe-NodeB、evolved Node B)であってよく、ここでは限定されない。
【００１８】
さらに、本文書における「システム」および「ネットワーク」という用語は常に、本文書では互換的に使用され得る。本文書における「および/または」という用語は、関連する物体を説明するための関連付けの関係にすぎず、3つの関係が存在し得ることを表す。たとえば、Aおよび/またはBは、Aが独立に存在する、AとBの両方が存在する、Bが独立に存在するという、3つの場合を表し得る。加えて、本文書における「/」という文字は、通常、前者と後者の関連する物体が「または」の関係にあることを表す。
【００１９】
従来技術では、時刻参照元は、衛星同期信号の受信機に依存し、この受信機は衛星カードと呼ばれる。衛星カードに不良があるとき、基地局の時刻元は依然として、基地局が同期状態にあることを示し得るが、実際には基地局は同期していない。この場合、警告は与えられず、これは警告不備と呼ばれる。加えて、時刻参照元が失われてからある特定の時間期限に達したとき、基地局の従来の処理方法は、時刻が同期状態にあるか非同期状態にあるかに関係なく、キャリアセクタ(すなわち、セル)を遮断することである。その時点で依然として時刻が同期されている場合、そのような基地局の処理方法は、不必要な通信中断を引き起こす。
【００２０】
そのような問題に対して、本発明の実施形態は、時刻非同期を判定して、時刻非同期によって引き起こされるセル間干渉に起因する低いサービス品質および呼の切断などの問題をタイムリーに検出し、運用コストを削減するための方法を提供する。時刻元が失われたときに警告が与えられなくても、基地局の時刻非同期が依然として効果的に検出されることが可能であり、さらに、警告情報が送信されてよく、かつ/または、時刻参照元が時刻非同期セルに対して自動的に再設定されてよい。あるいは、実際の影響をもたらす非同期が、判定基準として使用される。時刻参照元が失われた場合でも、この時点では基地局は依然として時刻同期の状態にあり、サービスに対する影響はなく、基地局は依然として通常通り動作することができる。さらに、セルを遮断する必要なくセルが通常通り動作を継続するかどうかを判定するために、この方法が使用され、これによって運用コストを削減する。
【００２１】
図1は、本発明のある実施形態による、時刻非同期セルを判定するための方法10の概略的なフローチャートである。ある実施モードでは、実施の対象は、コアネットワーク側のネットワーク管理ノード、または基地局によって報告されたネットワーク測定データを取得することが可能なノードのいずれかであり得る。
【００２２】
S11  基地局によって送信されたネットワーク測定データに従って、ネットワーク全体の基地局のすべてのセルの中から、異常なIN情報または電力情報を伴うセルを検出し、そのセルを第1のセルとして構成し、このときネットワーク測定データは干渉および雑音(Interference and Noise、INと省略される)情報または電力情報を含む。
【００２３】
S21  ネットワーク全体の基地局の1つまたは複数が時刻非同期の状態にあることを判定するために、IN情報または電力情報の様々なタイプの異常に従って第1のセルを分類する。
【００２４】
本発明の実施形態では、異常なIN情報(または電力情報)を伴うセルが、すべてのセルの中から検出され、基地局の時刻非同期を判定するために、IN情報(または電力情報)の様々なタイプの異常に従って分類され、関連するノードは、時刻非同期がネットワーク全体の通信品質に影響を与えるのを防ぐように、タイムリーに動作を行うことができる。
【００２５】
任意選択で、方法はさらに、第1のセルの基地局に隣接する基地局の周波数内隣接セルの中から、異常なIN情報または電力情報を伴うセルを検出するステップと、そのセルを第2のセルとして構成するステップと、時刻非同期セルを判定するために、IN情報または電力情報の様々なタイプの異常に従って、第1のセルおよび第2のセルを分類するステップとを含む。
【００２６】
任意選択で、異常なIN情報または電力情報を伴うセルを検出するステップは、IN情報または電力情報のアップリンク前側部分が異常に遭遇するセル、または、IN情報または電力情報のアップリンク後側部分が異常に遭遇するセルを検出するステップを含む。
【００２７】
任意選択で、IN情報または電力情報のアップリンク前側部分が異常に遭遇するセルは、セルのアップリンクフレーム中の前側symbolのIN情報または電力情報と、アップリンクフレーム中の後側symbolのIN情報または電力情報との差が閾値を超えるセル、または、セルのアップリンクパイロットタイムスロットUpPTSのIN情報または電力情報と、アップリンクフレーム中の後側symbolのIN情報または電力情報との差が閾値を超えるセル、または、セルのアップリンクダウンリンク同期ガード期間GPのIN情報または電力情報と、アップリンクフレーム中の後側symbolのIN情報または電力情報との差が閾値を超えるセルを含む。
【００２８】
任意選択で、IN情報または電力情報のアップリンク後側部分が異常に遭遇するセルは、セルのアップリンクフレーム中の後側symbolのIN情報または電力情報と、アップリンクフレーム中の前側symbolのIN情報または電力情報との差が閾値を超えるセル、または、セルのアップリンクフレーム中の後側symbolのIN情報または電力情報と、アップリンクパイロットタイムスロットUpPTSのIN情報または電力情報との差が閾値を超えるセル、または、セルのアップリンクフレーム中の後側symbolのIN情報または電力情報と、アップリンクダウンリンク同期ガード期間GPのIN情報または電力情報との差が閾値を超えるセルを含む。
【００２９】
任意選択で、ネットワーク全体の基地局の1つまたは複数が時刻非同期の状態にあることを判定するために、IN情報または電力情報の様々なタイプの異常に従って第1のセルを分類するステップは、第1のセルのうちの少なくとも1つのIN情報または電力情報のアップリンク前側部分が異常に遭遇する場合に、ネットワーク全体の基地局の1つまたは複数に時刻非同期が疑われることと、疑われている時刻非同期の干渉により少なくとも1つの第1のセルが影響を受けていることとを判定するステップ、または、第1のセルのうちの少なくとも1つのIN情報または電力情報のアップリンク後側部分が異常に遭遇する場合に、ネットワーク全体の基地局の1つまたは複数が時刻非同期の状態にあることと、少なくとも1つの第1のセルが時刻非同期の干渉の影響を受けていることとを判定するステップを含む。
【００３０】
任意選択で、時刻非同期セルを判定するために、IN情報または電力情報の様々なタイプの異常に従って第1のセルおよび第2のセルを分類するステップは、第1のセルのうちの少なくとも1つのIN情報または電力情報のアップリンク前側部分が異常に遭遇する場合に、ネットワーク全体の基地局の1つまたは複数に時刻非同期が疑われることと、疑われている時刻非同期の干渉により少なくとも1つの第1のセルが影響を受けていることとを判定した後で、少なくとも1つの第1のセルのみがIN情報または電力情報のアップリンク前側部分において異常に遭遇し、第2のセルのうちの2つよりも多くがIN情報または電力情報のアップリンク後側部分において異常に遭遇し、2つよりも多くの第2のセルが少なくとも1つの第1のセルの基地局に隣接する異なる基地局に属す場合に、少なくとも1つの第1のセルの基地局が時刻非同期の状態にあることと、少なくとも1つの第1のセルが時刻非同期セルであることとを判定するステップをさらに含み、または、第1のセルのうちの少なくとも1つのIN情報または電力情報のアップリンク後側部分が異常に遭遇する場合に、ネットワーク全体の基地局の1つまたは複数が時刻非同期の状態にあることと、少なくとも1つの第1のセルが時刻非同期の干渉の影響を受けていることとを判定した後で、少なくとも1つの第1のセルのみがIN情報または電力情報のアップリンク後側部分において異常に遭遇し、第2のセルのうちの2つよりも多くがIN情報または電力情報のアップリンク前側部分において異常に遭遇し、2つよりも多くの第2のセルが少なくとも1つの第1のセルの基地局に隣接する異なる基地局に属す場合に、少なくとも1つの第1のセルの基地局が時刻非同期の状態にあることと、第1のセルが時刻非同期セルであることとを判定するステップをさらに含む。
【００３１】
任意選択で、第1のセルを時刻非同期セルとして判定した後で、方法はさらに、少なくとも1つの第1のセルが時刻非同期セルであると判定されたときに、少なくとも1つの第1のセルの基地局に時刻元再設定命令または警告情報を送信するステップを含む。
【００３２】
説明を容易にするために、本発明の実施形態は例としてTDD LTEを使用する。図2は、TDD LTE無線フレーム20の概略的な構造図である。説明を簡単にするために、従来のTDD LTEのフレーム構造が選択されているが、フレーム構造はここでは限定されない。
【００３３】
図2に示されるように、パラメータが以下で説明される。
【００３４】
DwPTS:ダウンリンク同期のために使用されるダウンリンクパイロットタイムスロット
【００３５】
UpPTS:アップリンク同期のために使用されるアップリンクパイロットタイムスロット
【００３６】
GP:アップリンク同期とダウンリンク同期の間のガード期間
【００３７】
無線フレーム20は、2つのハーフフレーム25を含む。各無線フレームは、0〜9の番号を付けられた10個のサブフレーム24を含み得る。サブフレーム1は特別なサブフレームであり、DwPTS 21、UpPTS 22、およびGP 23を含む。サブフレーム0、2、3、4、および5は普通のサブフレームであり、サブフレーム0は必ずダウンリンクサブフレーム(D)である。他のサブフレームは実際の状況に応じて、アップリンクサブフレーム(U)またはダウンリンクサブフレームとして機能し得る。時間領域では、各サブフレームの普通CP(Cyclic Prefixの頭字語)は14個のsymbolにさらに分割されてよく、拡張CPは12個のsymbolを有する。
【００３８】
時刻非同期により生じる不良基地局は、以後、時刻非同期箇所と呼ばれ、周波数内隣接箇所への時刻非同期箇所の干渉は主に2つの形式で生じ、それらはそれぞれ図3および図4に示されている。
【００３９】
図3は、本発明のある実施形態による、時刻非同期を判定するための異常なIN情報または電力情報の概略図である。図3において、31は時刻非同期箇所の無線フレームであり、32は周波数内隣接箇所の無線フレームであり、33は時刻非同期箇所のアップリンク前側symbolに対する大きな干渉を示し、34は周波数内隣接箇所のアップリンク後側symbolに対する大きな干渉を示す。時刻非同期箇所が他のセルよりもNミリ秒進んでいる場合、各無線フレームのアップリンク前側部分が周波数内隣接基地局からの干渉を受け、一方、周波数内隣接基地局の各無線フレームのアップリンク後側部分が干渉を受ける。
【００４０】
図4は、本発明の別の実施形態による、時刻非同期を判定するための異常なIN情報または電力情報の概略図である。図4において、41は時刻非同期箇所の無線フレームであり、42は周波数内隣接箇所の無線フレームであり、43は周波数内隣接箇所のアップリンク前側symbolに対する大きな干渉を示し、44は時刻非同期箇所のアップリンク後側symbolに対する大きな干渉を示す。時刻非同期箇所が他のセルよりもNミリ秒遅れている場合、各無線フレームのアップリンク後側部分が周波数内隣接基地局からの干渉を受け、一方、周波数内隣接基地局の各無線フレームのアップリンク前側部分が干渉を受ける。
【００４１】
時刻非同期が原因でIN情報または電力情報が異常となる場合では、トラフィック測定データ、CHR(Call History Recordの頭字語)などのネットワーク測定データがそのような特性を記録し、記録された情報は以下の内容を含む。
【００４２】
(1)アップリンクフレーム中の前側symbolのIN情報(または電力情報)
【００４３】
(2)アップリンクフレーム中の後側symbolのIN情報(または電力情報)
【００４４】
(3)UpPTSのIN情報(または電力情報)
【００４５】
(4)GPのIN情報(または電力情報)
【００４６】
GPの記録されたIN情報(または電力情報)はGP全体のIN情報(または電力情報)ではないことに留意されたい。アップリンクおよびダウンリンクの受信、送信、および会話を考慮すると、GP全体のIN情報(または電力情報)を記録することは現実的ではない。GPの最後の部分のIN情報(または電力情報)のみを記録すること、たとえば、GPの最後のsymbolのIN情報を記録することが適切である。
【００４７】
上で与えられたネットワーク測定データに従って、セルのIN情報または電力情報が異常かどうかということと、異常の個別のタイプとを判定することは現実的である。時刻非同期によって引き起こされる異常なIN情報または電力情報の異常のタイプには、セルのIN情報(または電力情報)のアップリンク前側部分のみが異常に遭遇する状況、セルのIN情報(または電力情報)のアップリンク後側部分のみが異常に遭遇する状況、およびセルのIN情報(または電力情報)が異常に遭遇しない状況がある。
【００４８】
セルのIN情報(または電力情報)のアップリンク前側部分のみが異常に遭遇する状況には、以下の状況がある。
【００４９】
(1)アップリンクフレーム中の前側symbolのIN情報(または電力情報)とアップリンクフレーム中の後側symbolのIN情報(または電力情報)との差が閾値Aを超える。
【００５０】
(2)UpPTSのIN情報(または電力情報)とアップリンクフレーム中の後側symbolのIN情報(または電力情報)との差が閾値Aを超える。
【００５１】
(3)GPのINとアップリンクフレーム中の後側symbolのIN情報(または電力情報)との差が閾値Aを超える。
【００５２】
セルのIN情報(または電力情報)のアップリンク後側部分のみが異常に遭遇する状況には、以下の状況がある。
【００５３】
(1)アップリンクフレーム中の後側symbolのIN情報(または電力情報)とアップリンクフレーム中の前側symbolのIN情報(または電力情報)との差が閾値Aを超える。
【００５４】
(2)アップリンクフレーム中の後側symbolのIN情報(または電力情報)とUpPTSのIN情報(または電力情報)との差が閾値Aを超える。
【００５５】
(3)アップリンクフレーム中の後側symbolのIN情報(または電力情報)とGPのIN情報(または電力情報)との差が閾値Aを超える。
【００５６】
セルのIN情報(または電力情報)が異常に遭遇しない状況には、以下の状況がある。
【００５７】
(1)セルのIN情報(または電力情報)が普通であり、セルは干渉を受けていない。
【００５８】
(2)セルのIN情報(または電力情報)が高いが、前側部分と後側部分は基本的に安定しており、前側部分と後側部分の差は閾値Aを超えていない。
【００５９】
閾値Aはこの文脈では閾値とも呼ばれ、閾値は規定された値またはデフォルトの値などであり得る。
【００６０】
図3および図4に示されている、本発明の実施形態における異常なIN情報または電力情報の様々なタイプの異常に従って、時刻非同期を判定するための方法10が実行され得る。加えて、図5は、本発明の別の実施形態による、時刻非同期を判定するための方法50の概略的なフローチャートである。この方法を使用してネットワーク全体の基地局において時刻非同期セルを判定することによって、ネットワーク全体の基地局の時刻非同期がさらに発見され得る。ある実施モードでは、方法50を実行するためのデバイスは、コアネットワーク側のネットワーク管理ノード、または、各基地局によって報告されるネットワーク測定データを取得することが可能な任意のノードであり得る。
【００６１】
S51  基地局によって送信される警告情報を取得する。
【００６２】
このステップは任意選択であり、S52の後に、またはそれと同時に実行され得る。警告情報は、ネットワーク全体の基地局の1つまたは複数において基地局が時刻非同期を検出したことを示すために使用される。警告情報は、どの特定の基地局が時刻非同期の状態にあるかを示さず、さらなる関連する検出が必要とされる。
【００６３】
S52  基地局によって送信されるネットワーク測定データを取得する。
【００６４】
ネットワーク管理システムと基地局との間で情報が直接または間接的に交換されてよく、これはここでは限定されない。
【００６５】
S53  ネットワーク全体の基地局のすべてのセルを調査し、異常なIN情報(または電力情報)を有するセルを検出し、そのセルを第1のセルとして使用する。
【００６６】
時刻非同期によって引き起こされる異常なIN情報(または電力情報)の干渉の特性は、他の干渉によって引き起こされる異常なIN情報(または電力情報)の干渉の特性とは明らかに異なる。時刻が非同期の状態にあるかどうかを判定するためには、IN情報(または電力情報)の特性が異常である以下の2つのタイプのセルを検出することのみが必要である。
【００６７】
1)  セルのアップリンク前側部分のIN情報(または電力情報)が異常である。この場合、干渉は、時刻非同期またはTDDシステムの極端に大きな汚損によって引き起こされる。この場合、セルが時刻非同期を疑われ、疑われている時刻非同期により干渉を受けていると判定され、これによって、ネットワーク全体の1つまたは複数の基地局が時刻非同期を疑われると判定され、次いでS54Aが実行される。
【００６８】
2)  セルのアップリンク後側部分のIN情報(または電力情報)が異常である。この状況における異常なIN情報(または電力情報)がある場合は、セル干渉が時刻非同期によって引き起こされていることを直接判定することが適切であり、これによって、ネットワーク全体の1つまたは複数の基地局が時刻非同期の状態にあると判定され、次いでS54Bが実行される。
【００６９】
上記の2つのIN情報(または電力情報)の異常の特性は、セルが時刻非同期の干渉を受けているかどうかを判定するのに有用であるだけである。さらに、不良セル、すなわち時刻非同期セルが発見される必要がある。
【００７０】
ステップS53で検出される異常なIN情報(または電力情報)を伴うセルは、第1のセルとも呼ばれる。1つまたは複数の第1のセルがあり得る。複数の第1のセルは、1つの基地局または様々な基地局に属し得る。第1のセルの1つが時刻非同期セルとして判定される場合、第1のセルの基地局は時刻非同期の状態にあるものとして判定されてよく、その基地局のもとにあるすべてのセルは時刻非同期セルである。
【００７１】
S55  続いて、第1のセルの各々に対して、ネットワーク全体の基地局のすべてのセルの中の非同一箇所(すなわち、隣接基地局)の周波数内隣接セルを調査し、検出された異常なセルを第2のセルとして使用し、IN情報または電力情報の様々なタイプの異常に従って異常なセルを分類する。
【００７２】
非同一箇所の周波数内隣接セルを調査し、S53において2つの干渉タイプに従って検出された異常なセルを第2のセルとして使用する。その後、第1のセルおよび第2のセルを含むすべての異常なセルを分類する。
【００７３】
第1のセルはセルAを含むと仮定される。セルがIN情報(または電力情報)の様々なタイプの異常に従って分類された後で、以下の特定の状況が含まれる。
【００７４】
1)  セルAのみがアップリンク前側部分において異常なINを有し、セルAの隣接基地局の周波数内隣接セル、すなわちセルAに関連する第2のセルのうちの2つより多くがアップリンク後側部分において異常なINを有し、2つのセルがセルAの基地局に隣接する異なる基地局に属す場合、セルAが時刻非同期セルであると判定され、S56が実行される。2つのセルがセルAの基地局に隣接する同じ基地局に属す場合、あり得る状況には、基地局間の相互干渉が含まれるので、セルAが時刻非同期の状態にあるかどうかを直接判定することはできない。
【００７５】
この状況はさらに、ステップS53において時刻非同期を疑われたセルを分析し、セルが時刻非同期の状態にあるかどうかを最終的に確認することによって、ネットワーク全体の基地局の時刻非同期を発見する。
【００７６】
2)  セルAのみがアップリンク後側部分において異常なINを有し、セルAの隣接基地局の周波数内隣接セル、すなわち、セルAに関連する第2のセルのうちの2つよりも多くがアップリンク前側部分において異常なINを有する場合、セルAが時刻非同期セルであると判定され、S56が実行される。2つのセルがセルAの基地局に隣接する同じ基地局に属す場合、あり得る状況には、基地局間の相互干渉が含まれるので、セルAが時刻非同期の状態にあるかどうかを直接判定することはできない。
【００７７】
この状況はさらに、ステップS53においてネットワーク全体の基地局の時刻非同期を確認する状況を分析し、これによって、時刻非同期セルを確認し、基地局の時刻非同期を発見する。
【００７８】
S54A  ネットワーク全体の時刻非同期が疑われる基地局を判定する。S54B  ネットワーク全体の基地局の時刻非同期を判定する。
【００７９】
S56  時刻非同期セルを判定する。
【００８０】
3)  セルAおよびすべての隣接セルがアップリンク前側部分においてINの異常を有する場合、セルAが受ける干渉は時刻非同期により引き起こされたものではないと判定され、セルAが隣接セルを有さない場合、時刻非同期の疑いが決定され、セルAは疑われている時刻非同期から干渉を受け、任意選択で、S54Aが実行され、または、セルAが時刻非同期の状態にあるかどうかを判定するために、相互の分析がさらに実行される。
【００８１】
4)  他の状況では、セルAが時刻非同期の干渉を受けていると判定されるが、セルAは必ずしも時刻非同期セルではなく、S54Aが実行される。
【００８２】
S57  第1のセルが時刻非同期セルであると判定されると、時刻元再設定命令または警告情報を第1のセルの基地局に送信する。
【００８３】
任意選択で、ネットワーク管理システムは、時刻元再設定命令または警告情報を特定の基地局に送信して、基地局に、時間内に正確に応答させることができる。任意選択で、ネットワーク管理システムはまた、第1のセルが時刻非同期セルであることを疑われるとき、たとえば、ステップS53の後で、時刻元再設定命令または警告情報を送信することができ、第1のセルの基地局が時刻非同期の状態にあるかどうかをさらに判定するために、相互の分析が実行され得る。
【００８４】
本発明の実施形態では、ネットワーク測定データに基づいて、異常なセルの干渉特性がそのセルによる干渉を受けている隣接セルの干渉特性と完全に逆であることを考慮することによって、時刻非同期箇所が決定される。さらに、時刻非同期箇所に対して、警告情報が送信されてよく、かつ/または時刻参照元が再設定されてよく、またはさらに、時刻参照元が失われたとき、この方法は、異常なセルが遮断されるのではなく通常通り動作を続けるかどうかを判断するために使用されてよく、時刻が大まかに修正されることも可能である。
【００８５】
本発明の実施形態では、異常なIN情報(または電力情報)を伴うセルがすべてのセルの中から検出され、基地局の時刻非同期を判定するためにIN情報(または電力情報)の様々なタイプの異常に従って分類され、関連するノードは、時刻非同期がネットワーク全体の通信品質に影響を与えるのを防ぐように、タイムリーに動作を行うことができる。
【００８６】
図6Aおよび図6Bは、本発明のある実施形態による、時刻非同期を判定するための装置60の概略的なブロック図である。
【００８７】
装置60は、第1の検出ユニット61および第1の判定ユニット62を含む。
【００８８】
検出ユニット61は、基地局によって送信されるネットワーク測定データに従って、ネットワーク全体の基地局のすべてのセルの中から、異常なIN情報または電力情報を伴うセルを検出し、そのセルを第1のセルとして構成し、ネットワーク測定データは干渉および雑音IN情報または電力情報を含む。
【００８９】
第1の判定ユニット62は、ネットワーク全体の基地局の1つまたは複数が時刻非同期の状態にあることを判定するために、IN情報または電力情報の様々なタイプの異常に従って、第1の検出ユニット61によって検出される第1のセルを分類する。
【００９０】
本発明の実施形態の、時刻非同期を判定するための装置によって、異常なIN情報(または電力情報)を伴うセルがすべてのセルの中から検出され、時刻非同期を判定するためにIN情報または電力情報の様々なタイプの異常に従って分類され、関連するノードは、時刻非同期がネットワーク全体の通信品質に影響を与えるのを防ぐように、タイムリーに動作を行うことができる。
【００９１】
任意選択で、別の実施形態として、図6Bに示される装置60によれば、装置60はさらに、第2の検出ユニット63、第2の判定ユニット64、送信ユニット65、および受信ユニット66を含み得る。
【００９２】
任意選択で、第2の検出ユニット63は、基地局によって送信されたネットワーク測定データに従って、第1のセルの基地局に隣接する基地局の周波数内隣接セルの中から、異常なIN情報または電力情報を伴うセルを検出し、そのセルを第2のセルとして構成する。
【００９３】
任意選択で、第2の判定ユニット64は、時刻非同期セルを判定するために、IN情報または電力情報の様々なタイプの異常に従って、第1の検出ユニット61によって検出される第1のセルおよび第2の検出ユニットによって検出される第2のセルを分類する。
【００９４】
任意選択で、第1の検出ユニット61は、ネットワーク全体の基地局のすべてのセルから、セルのアップリンク前側部分において異常なIN情報または電力情報を有するセル、または、セルの後側部分において異常なIN情報または電力情報を有するセルを検出し、そのセルを第1のセルを構成し、第2の検出ユニット63は、第1のセルの基地局に隣接する基地局の周波数内隣接セルの中から、セルのアップリンク前側部分において異常なIN情報または電力情報を有するセル、または、セルの後側部分において異常なIN情報または電力情報を有するセルを検出し、そのセルを第2のセルとして構成する。
【００９５】
任意選択で、第1の検出ユニット61または第2の検出ユニット63によって検出される、セルのアップリンク前側部分において異常なIN情報または電力情報を有するセルは、セルのアップリンクフレーム中の前側symbolのIN情報または電力情報とアップリンクフレーム中の後側symbolのIN情報または電力情報との差が閾値を超えるセル、セルのアップリンクパイロットタイムスロットUpPTSのIN情報または電力情報と、アップリンクフレーム中の後側symbolのIN情報または電力情報との差が閾値を超えるセル、または、セルのアップリンクダウンリンク同期ガード期間GPのIN情報または電力情報と、アップリンクフレーム中の後側symbolのIN情報または電力情報との差が閾値を超えるセルを含む。
【００９６】
任意選択で、第1の検出ユニット61または第2の検出ユニット63によって検出される、セルのアップリンク後側部分において異常なIN情報または電力情報を有するセルは、セルのアップリンクフレーム中の後側symbolのIN情報または電力情報と、アップリンクフレーム中の前側symbolのIN情報または電力情報との差が閾値を超えるセル、セルのアップリンクフレーム中の後側symbolのIN情報または電力情報と、アップリンクパイロットタイムスロットUpPTSのIN情報または電力情報との差が閾値を超えるセル、または、セルのアップリンクフレーム中の後側symbolのIN情報または電力情報と、アップリンクダウンリンク同期ガード期間GPのIN情報または電力情報との差が閾値を超えるセルを含む。
【００９７】
任意選択で、第1の判定ユニットは特に、第1のセルのうちの少なくとも1つのアップリンク前側部分が異常なIN情報または電力情報を有する場合、ネットワーク全体の基地局の1つまたは複数が時刻非同期を疑われることと、疑われている時刻非同期の干渉により少なくとも1つの第1のセルが影響を受けていることとを判定するように、または、第1のセルのうちの少なくとも1つのアップリンク後側部分が異常なIN情報または電力情報を有する場合に、ネットワーク全体の基地局の1つまたは複数が時刻非同期の状態にあることと、少なくとも1つの第1のセルが時刻非同期の干渉を受けていることとを判定するように構成される。
【００９８】
任意選択で、第2の判定ユニットは特に、第1のセルのうちの少なくとも1つのみのアップリンク前側部分のIN情報または電力情報が異常に遭遇し、第2のセルのうちの2つよりも多くのアップリンク後側部分のIN情報または電力情報が異常に遭遇し、2つよりも多くの第2のセルが少なくとも1つの第1のセルの基地局に隣接する異なる基地局に属す場合に、少なくとも1つの第1のセルが時刻非同期セルであると判定するように構成され、第1のセルのうちの少なくとも1つのみのIN情報または電力情報のアップリンク後側部分が異常に遭遇し、第2のセルのうちの2つよりも多くのIN情報または電力情報のアップリンク前側部分が異常に遭遇し、2つよりも多くの第2のセルが少なくとも1つの第1のセルの基地局に隣接する異なる基地局に属す場合に、少なくとも1つの第1のセルが時刻非同期セルであると判定するように構成される。
【００９９】
任意選択で、少なくとも1つの第1のセルが時刻非同期セルであると第2の判定ユニットが判定すると、送信ユニット65は、時刻元再設定命令または警告情報を少なくとも1つの第1のセルの基地局に送信する。
【０１００】
任意選択で、受信ユニット66は、基地局によって送信される警告情報を受信し、警告情報は、ネットワーク全体の基地局の1つまたは複数において基地局が時刻非同期を検出したことを示すために使用される。
【０１０１】
装置60は、方法10および方法50を実施する。簡潔にするために、詳細はここではさらには与えられない。
【０１０２】
時刻非同期を判定するための方法はまた、基地局などの他の装置によって実行され得る。図7は、本発明の実施形態に従って時刻非同期を判定するための別の方法70の概略的なフローチャートである。
【０１０３】
S71  ネットワーク測定データを取得し、ネットワーク測定データは干渉および雑音IN情報または電力情報を含む。
【０１０４】
S72  ネットワーク測定データに従って、現在の基地局のセルの中から、異常なIN情報または電力情報を伴うセルを検出する
【０１０５】
S73  ネットワーク全体の基地局の1つまたは複数が時刻非同期の状態にあることを判定するために、IN情報または電力情報の様々なタイプの異常に従って、現在の基地局のセルの中から検出された異常なIN情報または電力情報を伴うセルを分類する。
【０１０６】
または、S74で、時刻非同期セルを判定するためにIN情報または電力情報の様々なタイプの異常に従った分類をネットワーク管理ノードが実行するように、ネットワーク測定データが取得された後でネットワーク測定データをネットワーク管理ノードに送信する。
【０１０７】
本発明の実施形態では、異常なIN情報(または電力情報)を伴うセルがすべてのセルの中から検出され、基地局の時刻非同期を判定するためにIN情報(または電力情報)の様々なタイプの異常に従って分類され、関連するノードは、時刻非同期がネットワーク全体の通信品質に影響を与えるのを防ぐように、タイムリーに動作を行うことができる。
【０１０８】
任意選択で、ネットワーク全体の基地局の1つまたは複数が時刻非同期の状態にあることを判定するために、IN情報または電力情報の様々なタイプの異常に従って、現在の基地局のセルの中から検出された異常なIN情報または電力情報を伴うセルを分類した後で、方法はさらに、警告情報をネットワーク管理ノードに送信するステップを含み、警告情報は、ネットワーク全体の基地局の1つまたは複数において基地局が時刻非同期を検出したことを示すために使用される。
【０１０９】
任意選択で、現在の基地局のセルの中から異常なIN情報または電力情報を有するセルを検出するステップは、IN情報または電力情報のアップリンク前側部分が異常に遭遇するセルを検出するステップと、ネットワーク全体の基地局の1つまたは複数が時刻非同期を疑われることを判定するために、IN情報または電力情報の様々なタイプの異常に従って検出されたセルを分類するステップとを含み、または、現在の基地局のセルの中からIN情報または電力情報のアップリンク後側部分が異常に遭遇するセルを検出するステップと、ネットワーク全体の基地局の1つまたは複数が時刻非同期の状態にあると判定するために、IN情報または電力情報の様々なタイプの異常に従って検出されたセルを分類するステップとを含む。
【０１１０】
任意選択で、IN情報または電力情報のアップリンク前側部分が異常に遭遇するセルは、セルのアップリンクフレーム中の前側symbolのIN情報または電力情報と、アップリンクフレーム中の後側symbolのIN情報または電力情報との差が閾値を超えるセル、または、セルのアップリンクパイロットタイムスロットUpPTSのIN情報または電力情報と、アップリンクフレーム中の後側symbolのIN情報または電力情報との差が閾値を超えるセル、または、セルのアップリンクダウンリンク同期ガード期間GPのIN情報または電力情報と、アップリンクフレーム中の後側symbolのIN情報または電力情報との差が閾値を超えるセルを含む。
【０１１１】
任意選択で、IN情報または電力情報のアップリンク前側部分が異常に遭遇するセルは、セルのアップリンクフレーム中の後側symbolのIN情報または電力情報と、アップリンクフレーム中の前側symbolのIN情報または電力情報との差が閾値を超えるセル、セルのアップリンクフレーム中の後側symbolのIN情報または電力情報と、アップリンクパイロットタイムスロットUpPTSのIN情報または電力情報との差が閾値を超えるセル、または、セルのアップリンクフレーム中の後側symbolのIN情報または電力情報と、アップリンクダウンリンク同期ガード期間GPのIN情報または電力情報との差が閾値を超えるセルを含む。
【０１１２】
任意選択で、ネットワーク測定データをネットワーク管理ノードに送信した後で、ネットワーク管理ノードが、時刻非同期セルを判定するために、IN情報または電力情報の様々なタイプの異常に従って分類を実行するように、方法はさらに、基地局の中の第1のセルが時刻非同期セルであるとネットワーク管理ノードが判定すると、基地局によって、ネットワーク管理ノードから時刻元再設定命令または警告情報を受信するステップを含む。
【０１１３】
任意選択で、図8は、本発明の別の実施形態による、時刻非同期を判定するための方法80の概略的なフローチャートである。例示的な実施の方法として、方法80は基地局によって実施される。
【０１１４】
S81  ネットワーク測定データを取得し、ネットワーク測定データは干渉および雑音(IN)情報または電力情報を含む。
【０１１５】
基地局はUEからネットワーク測定データを取得することができる。
【０１１６】
S82  ネットワーク測定データに従って、現在の基地局のセルの中から、異常なIN情報または電力情報を伴うセルを検出する。
【０１１７】
異常IN情報または電力情報を伴うセルを検出するために基地局によって使用される方法は、方法10および方法50と同様であり、図3および図4に示される異常なIN情報または電力情報の状況を利用することもできる。
【０１１８】
S83  ネットワーク全体の基地局の1つまたは複数が時刻非同期の状態にあること、または時刻非同期を疑われることを判定するために、IN情報または電力情報の様々なタイプの異常に従って、現在の基地局のセルの中から検出された異常なIN情報または電力情報を伴うセルを分類する。
【０１１９】
現在の基地局のセルの中から、IN情報または電力情報のアップリンク前側部分が異常に遭遇するセルを検出し、ネットワーク全体の基地局の1つまたは複数が時刻非同期を疑われることを判定するために、IN情報または電力情報の様々なタイプの異常に従って検出されたセルを分類し、または、現在の基地局のセルの中から、IN情報または電力情報のアップリンク後側部分が異常に遭遇するセルを検出し、ネットワーク全体の基地局の1つまたは複数が時刻非同期の状態にあることを判定するために、IN情報または電力情報の様々なタイプの異常に従って検出されたセルを分類する。IN情報または電力情報のアップリンク前側部分が異常に遭遇するセル、およびIN情報または電力情報のアップリンク後側部分が異常に遭遇するセルについては、方法50の実施形態を参照することができる。
【０１２０】
時刻非同期を判定するためにネットワーク管理ノードなどのノードを使用する方法とは異なり、基地局が自身のネットワーク測定データのみを取得できる場合、基地局はシステム中の基地局の時刻非同期または時刻非同期の疑いを判定できるだけであり、時刻非同期セルをさらに決定することはできないので、現在の基地局または他の基地局におけるどの時刻が同期していないかをさらに判定することができない。任意選択で、基地局が他の基地局のネットワーク測定データを取得できる場合、たとえば、集中型の制御を実行できる場合、基地局はネットワーク管理ノードと等価であり得る。
【０１２１】
任意選択で、S84で、警告情報をネットワーク管理ノードに送信し、警告情報は、ネットワーク全体の基地局の1つまたは複数において基地局が時刻非同期を検出したことを示すために使用される。
【０１２２】
任意選択の実施形態として、S85で、ネットワーク管理ノードが、時刻非同期セルを判定するために、IN情報または電力情報の様々なタイプの異常に従って分類を実行するように、ネットワーク測定データが取得された後でネットワーク測定データをネットワーク管理ノードに送信する。任意選択で、ネットワーク測定データが取得された後で、基地局は、S83を省略し、時刻非同期の判定を中断してよく、または、時刻非同期を判定しながら、図6Aまたは図6Bに示される装置60にネットワーク測定データを送信してよい。装置60は、上で説明された方法で時刻非同期を判定することができる。詳細については、方法10および方法50の実施形態を参照することができる。
【０１２３】
その後、任意選択で、S86で、基地局の中の第1のセルが時刻非同期セルであるとネットワーク管理ノードが判定すると、基地局が、ネットワーク管理ノードから時刻元再設定命令または警告情報を受信する。
【０１２４】
基地局は、ネットワーク管理システムと警告情報を交換する。警告情報が受信された後、行われるべき具体的な動作は具体的なノードに依存し得る。
【０１２５】
本発明の実施形態では、異常なIN情報(または電力情報)を伴うセルがすべてのセルの中から検出され、基地局の時刻非同期を判定するために、IN情報(または電力情報)の様々なタイプの異常に従って分類され、関連するノードは、時刻非同期がネットワーク全体の通信品質に影響を与えるのを防ぐように、タイムリーに動作を行うことができる。
【０１２６】
図9Aは、本発明のある実施形態による、時刻非同期を判定するための基地局90の概略的なブロック図である。
【０１２７】
基地局90は、取得ユニット91、検出ユニット92、判定ユニット93、および任意選択で送信ユニット93を含む。
【０１２８】
取得ユニット91は、ネットワーク測定データを取得するように構成され、ネットワーク測定データは、干渉および雑音(IN)情報または電力情報を含む。
【０１２９】
検出ユニット92は、取得ユニット91によって取得されるネットワーク測定データに従って、現在の基地局のセルの中から、異常なIN情報または電力情報を伴うセルを検出する。
【０１３０】
判定ユニット93は、ネットワーク全体の基地局の1つまたは複数が時刻非同期の状態にあることを判定するために、IN情報または電力情報の様々なタイプの異常に従って、現在の基地局のセルの中から、異常なIN情報または電力情報を有するものとして検出ユニット92によって検出されたセルを分類する。
【０１３１】
あるいは、ネットワーク管理ノードが時刻非同期セルを判定するためにIN情報または電力情報の様々なタイプの異常に従って分類を実行するように、送信ユニット94は、取得ユニット91がネットワーク処理データを取得した後で、ネットワーク測定データをネットワーク管理ノードに送信する。
【０１３２】
本発明の実施形態の時刻非同期を判定するための装置によって、異常なIN情報(または電力情報)を伴うセルがすべてのセルの中から検出され、基地局の時刻非同期を判定するためにIN情報(または電力情報)の様々なタイプの異常に従って分類され、関連するノードは、時刻非同期がネットワーク全体の通信品質に影響を与えるのを防ぐように、タイムリーに動作を行うことができる。
【０１３３】
任意選択で、ネットワーク全体の基地局の1つまたは複数が時刻非同期の状態にあることを判定するために、判定ユニットが、IN情報または電力情報の様々なタイプの異常に従って、現在の基地局のセルの中から、異常なIN情報または電力情報を有するものとして検出ユニットによって検出されたセルを分類した後で、送信ユニットがさらに、警告情報をネットワーク管理ノードに送信し、警告情報は、ネットワーク全体の基地局の1つまたは複数において基地局が時刻非同期を検出したことを示すために使用される。
【０１３４】
任意選択で、検出ユニットは特に、現在の基地局のセルの中から、IN情報または電力情報のアップリンク前側部分が異常に遭遇するセルを検出し、ネットワーク全体の基地局の1つまたは複数に時刻非同期が疑われることを判定するために、IN情報または電力情報の様々なタイプの異常に従って検出されたセルを分類するように構成され、または、現在の基地局のセルの中から、IN情報または電力情報のアップリンク後側部分が異常に遭遇するセルを検出し、ネットワーク全体の基地局の1つまたは複数が時刻非同期の状態にあることを判定するために、IN情報または電力情報の様々なタイプの異常に従って検出されたセルを分類するように構成される。
【０１３５】
任意選択で、IN情報または電力情報のアップリンク前側部分において異常に遭遇するものとして検出ユニットによって検出されたセルは、セルのアップリンクフレーム中の前側symbolのIN情報または電力情報と、アップリンクフレーム中の後側symbolのIN情報または電力情報との差が閾値を超えるセル、または、セルのアップリンクパイロットタイムスロットUpPTSのIN情報または電力情報と、アップリンクフレーム中の後側symbolのIN情報または電力情報との差が閾値を超えるセル、または、セルのアップリンクダウンリンク同期ガード期間GPのIN情報または電力情報と、アップリンクフレーム中の後側symbolのIN情報または電力情報との差が閾値を超えるセルを含む。
【０１３６】
任意選択で、IN情報または電力情報のアップリンク前側部分において異常に遭遇するものとして検出ユニットによって検出されたセルは、セルのアップリンクフレーム中の後側symbolのIN情報または電力情報と、アップリンクフレーム中の前側symbolのIN情報または電力情報との差が閾値を超えるセル、または、セルのアップリンクフレーム中の後側symbolのIN情報または電力情報と、アップリンクパイロットタイムスロットUpPTSのIN情報または電力情報との差が閾値を超えるセル、または、セルのアップリンクフレーム中の後側symbolのIN情報または電力情報と、アップリンクダウンリンク同期ガード期間GPのIN情報または電力情報との差が閾値を超えるセルを含む。
【０１３７】
任意選択で、図9Bは、本発明の別の実施形態による、時刻非同期を判定するための基地局90の概略的なブロック図である。図9Bに示されるように、基地局90はさらに、受信ユニット95を含み得る。
【０１３８】
ネットワーク管理ノードが時刻非同期セルを判定するためにIN情報または電力情報の様々なタイプの異常に従って分類を実行するように、ネットワーク測定データがネットワーク管理ノードに送信された後で、受信ユニット95は、基地局の中の第1のセルが時刻非同期セルであるとネットワーク管理ノードが判定すると、ネットワーク管理ノードから時刻元再設定命令または警告情報を受信する。
【０１３９】
基地局90は、方法70および方法80を実施する。簡潔にするために、詳細はここではさらに与えられない。
【０１４０】
本発明の実施形態の時刻非同期を判定するための装置によって、異常なIN情報(または電力情報)を伴うセルがすべてのセルの中から検出され、基地局の時刻非同期を判定するために、IN情報(または電力情報)の様々なタイプの異常に従って分類され、関連するノードは、時刻非同期がネットワーク全体の通信品質に影響を与えるのを防ぐように、タイムリーに動作を行うことができる。
【０１４１】
図10は、本発明のある実施形態による、ワイヤレス通信システム100の概略的なブロック図である。本発明の実施形態はさらに、上で説明された装置60および/または90を含むワイヤレス通信システム100を提供する。簡潔にするために、詳細はここではさらに与えられない。
【０１４２】
本発明の実施形態によるワイヤレス通信システムによって、異常なIN情報(または電力情報)を伴うセルがすべてのセルの中から検出され、基地局の時刻非同期を判定するために、IN情報(または電力情報)の様々なタイプの異常に従って分類され、関連するノードは、時刻非同期がネットワーク全体の通信品質に影響を与えるのを防ぐように、タイムリーに動作を行うことができる。
【０１４３】
本明細書で開示された実施形態で説明された例とともに、ユニットおよびアルゴリズムステップが、電子ハードウェア、またはコンピュータソフトウェアと電子ハードウェアの組合せによって実施され得ることを、当業者は認識し得る。機能がハードウェアで実行されるかソフトウェアで実行されるかは、具体的な適用形態および技術的な解決法の設計制約の条件に依存する。当業者は、各々の具体的な適用形態に対して、異なる方法を使用して説明された機能を実装することができるが、この実装が本発明の範囲を超えるとは考えられるべきではない。
【０１４４】
便宜的に、かつ簡単な説明のために、前述のシステム、装置、およびユニットの詳細の動作プロセスについては、前述の方法の実施形態の対応するプロセスを参照することができ、詳細はここでは再び説明されないことが、当業者により明確に理解され得る。
【０１４５】
本出願で提供されるいくつかの実施形態では、開示されるシステム、装置、および方法が他の方式で実施され得ることを理解されたい。たとえば、説明される装置の実施形態は例示的なものにすぎない。たとえば、ユニットの分割は論理的な機能の分割にすぎず、実際の実装形態では他の分割であってよい。たとえば、複数のユニットまたはコンポーネントが組み合わされてよく、もしくは別のシステムと統合されてよく、またはいくつかの機能は無視されてよく、もしくは実行されなくてよい。
【０１４６】
加えて、図示されもしくは論じられた相互の結合または直接の結合または通信接続は、何らかのインターフェースを通じて実装され得る。装置またはユニットの間の間接的な結合または通信接続は、電子的な方式、機械的な方式、または他の形式で実装され得る。
【０１４７】
上でスタンドアロンのコンポーネントとして説明されたユニットは、物理的に分離されてもされなくてもよく、ユニットとして示されたコンポーネントは物理ユニットであってもなくてもよく、すなわち、コンポーネントは、1つの場所に配置されてもよく、または、複数のネットワーク要素に分散されてもよい。ユニットの一部またはすべてが、実施形態の解決法の目的を達成するための実際の必要性に従って選択され得る。
【０１４８】
加えて、本発明の実施形態の機能ユニットは、1つの処理ユニットに統合されてよく、または、ユニットの各々が物理的に単独で存在してよく、または2つ以上のユニットが1つのユニットに統合される。
【０１４９】
機能がソフトウェア機能ユニットの形式で実装され、独立した製品として販売または使用される場合、機能は、コンピュータ可読記憶媒体に記憶され得る。そのような理解に基づいて、本発明の技術的な解決法は基本的に、または従来技術に寄与する部分は、または技術的な解決法の一部は、ソフトウェア製品の形式で実装され得る。コンピュータソフトウェア製品は記憶媒体に記憶され、本発明の実施形態で説明された方法のステップのすべてまたは一部を実行するようにコンピュータデバイス(パーソナルコンピュータ、サーバ、またはネットワークデバイスであり得る)に命令するための、いくつかの命令を含む。記憶媒体は、USBフラッシュディスク、リムーバブルハードディスク、読取り専用メモリ(Read-Only Memory、ROM)、ランダムアクセスメモリ(Random Access Memory、RAM)、磁気ディスク、または光学ディスクなどの、プログラムコードを記憶できる任意の媒体を含む。
【０１５０】
前述の説明は、本発明の特定の実施形態にすぎず、本発明の保護範囲を限定するものではない。本発明で開示された技術的な範囲内の、当業者により容易に理解される任意の変更または置換が、本発明の保護範囲に入るべきである。したがって、本発明の保護範囲は、請求項の保護範囲により支配されるべきである。
【符号の説明】
【０１５１】
20  無線フレーム
21  DwPTS
22  UpPTS
23  GP
24  サブフレーム
25  ハーフフレーム
31  時刻非同期箇所の無線フレーム
32  周波数内隣接箇所の無線フレーム
33  時刻非同期箇所のアップリンク前側symbolに対する大きな干渉
34  周波数内隣接箇所のアップリンク後側symbolに対する大きな干渉
41  時刻非同期箇所の無線フレーム
42  周波数内隣接箇所の無線フレーム
43  周波数内隣接箇所のアップリンク前側symbolに対する大きな干渉
44  時刻非同期箇所のアップリンク後側symbolに対する大きな干渉
60  装置
61  第1の検出ユニット
62  第1の判定ユニット
63  第2の検出ユニット
64  第2の判定ユニット
65  送信ユニット
66  受信ユニット
90  基地局
91  取得ユニット
92  検出ユニット
93  判定ユニット
94  送信ユニット
95  受信ユニット
100  ワイヤレス通信システム
【図１】
0006016219.tif 000002
【図２】
0006016219.tif 000003
【図３】
0006016219.tif 000004
【図４】
0006016219.tif 000005
【図５】
0006016219.tif 000006
【図６Ａ】
0006016219.tif 000007
【図６Ｂ】
0006016219.tif 000008
【図７】
0006016219.tif 000009
【図８】
0006016219.tif 000010
【図９Ａ】
0006016219.tif 000011
【図９Ｂ】
0006016219.tif 000012
【図１０】
0006016219.tif 000013